(57)【要約】      （修正有）【課題】衣服の陳列用具兼物干し用具の提供。【解決手段】前身頃部２と後身頃部３間にハンガー支持帯部４を配して、両身頃部を一体に形成し、後身頃部の中心部にハンガー吊下用孔部５から端縁に達するスリットを入れた胸像シートを形成し、該胸像シートをハンガー支持帯部４より二つ折りしたのち、後身頃３の重合片を重ねて、胸部と背部とから成るボディ本体１０を形成し、該ボディ本体１０に吊下げ部材６を取り付ける衣服陳列兼物干し用具に形成したことである。【選択図】図４
0003135254.tif 000002
【実用新案登録請求の範囲】
【請求項１】
前身頃部と後身頃部間にハンガー支持帯部を配して、両身頃部を一体に形成するとともに、後身頃部の中心部にハンガー吊下用孔部から端縁に達するスリットを入れた胸像シートを形成し、該胸像シートをハンガー支持帯部より二つ折りして、胸部と背部とから成るボディ本体を形成し、該ボディ本体に吊下げ部材を取り付けることを特徴とする衣服陳列兼物干し用具。  
【請求項２】
後身頃部の一側辺よりハンガー吊下用孔部に達するスリットを入れて、該スリットを境目とする左右重合片を形成し、該左右重合片を適宜の幅重ね合わせるとともに、該重合部を面ファスナーあるはスナップボタンなどの結着部材で着脱自在に接合して胸部と背部とから成るボディ本体に形成することを特徴とする請求項１記載の衣服陳兼列物干し用具。  
【請求項３】
前記ハンガー支持帯部に支持される吊下げ部材が、肩掛け部が棒状の衣服用ハンガーであることを特徴とする請求項１記載の衣服陳列兼物干し用具。
【請求項４】
前記ハンガー支持帯部に支持される吊下げ部材のハンガーが、円錐台状の円筒体に、棒状の衣服用ハンガーを挿通したハンガーであることを特徴とする請求項１記載の衣服陳列兼物干し用具
【請求項５】
前記ハンガー支持帯部に支持される吊下げ部材が、下部に横桟を有する棒状のハンガーからなることを特徴とする請求項１記載の衣服陳列兼物干し用具。
【請求項６】
胸像シートが通気性を有する合成樹脂製のシートであることを特徴とする請求項１記載の衣服陳列兼物干し用具。
【考案の詳細な説明】
【技術分野】
【０００１】
この考案は、ブティックなど洋品店における衣服の販売促進のために、衣服を店頭陳列するのに用いる衣服陳列用ボディトルソーに代わる衣服陳列用具として、また衣服用ハンガーあるいは洗濯物干し用ハンガーとしても使用できる衣服陳列兼物干し用具に関する。
【背景技術】
【０００２】
従来、デパートや洋品店などにおいて、婦人服やＴシャツその他の衣料品を販売するについて、立体的な人体形状のマネキンに衣類を着せて陳列を行うか、腕や顔がない上半身だけのボディトルソーに衣類を着せて陳列をおこなっている。
これらのディスプレー用具は、プラスチックや石こうなどで作られているため、使用後の廃棄処理に問題があるために廃棄処理を容易にしたマネキン、また紙製洋服ハンガー等が提案されている。
【特許文献１】実用新案登録第３０５３０７３号公報
【特許文献２】実用新案登録第２５１４８８９号公報
【特許文献３】実用新案登録第３１２１２５０号公報
【考案の開示】
【考案が解決しようとする課題】
【０００３】
上述の販売促進のための衣服を着せて陳列するための全身像のマネキンあるいは、身体の一部を表したボディトルソーでの陳列は、広いスペースが必要であり、デパートなどの売場面積の広い一部の店舗では有効であるが、規模の小さい洋品店では陳列することが難しい問題がある。
【０００４】
また、マネキンやボディトルソーを使用しない時は、それらの保管場所が必要となる問題がある。また、多数の商品を展示するのに洋服用ハンガーに衣服を掛けてマネキンの代わりとしているが、洋服用ハンガーでは展示する衣服に膨らみが出ないため、マネキンやボディトルソーのような衣服のシルエットを綺麗に出すことができず、見栄えが悪い問題がある。
【０００５】
上記の課題を解決するために出願人は、先の特許文献３に示すとおり、洋服用ハンガーを用いての陳列であっても、衣服の形状を綺麗に見せることができ、不使用時でも邪魔にならない紙製の衣服陳列用ボディトルソーを提案した。
【０００６】
すなわち、段ボール、板紙、合成紙などの横長矩形状のシート、該シートの隅部を面取りして直線と曲線から成るシート本体を形成し、該シート本体の中央部より上方（長辺側）に偏って洋服用ハンガーの首部挿通用の透孔を設け、該透孔を挟んで長手方向（短辺側）に洋服用ハンガーの肩部支持用のコ字状長孔を設け、またコ字状長孔の側縁部を長辺方向に折り込み可能に山折り線を形成するとともに、前記コ字状長孔の中心線部付近よりシート本体を二つ折りして、シート本体を前身頃部と後身頃部とに形成した紙製の衣服陳列用ボディトルソーを提案した。
【０００７】
そして、上記のような構成により、ハンガー肩部支持片により前身頃と後身頃は外方向に押圧されスカートを開いた状態に広がるので、その状態で衣服を被せると衣服に膨らみが生じ、従来のボディトルソーと同様に立体的に見せることができるので、単に洋服用ハンガーに掛けたものに比べ宣伝効果を上げることができる。
しかしながら、この衣服陳列用ボディトルソは組み立てるのに手間が掛かる問題がある。
また、上記の衣服陳列用ボディトルソは、商品の陳列以外の用途には使用できない問題がある。
この考案は商品の陳列用具以外に洋服用ハンガーとして、又洗濯物干し用具としてハンガーとしても使用することができる衣服陳列兼物干し用具を提供することである。
【課題を解決するための手段】
【０００８】
この考案は、前身頃部と後身頃部間にハンガー支持帯部を配して、両身頃部を一体に形成するとともに、後身頃部の中心部にハンガー吊下用孔部から端縁に達するスリットを入れた胸像シートを形成し、該胸像シートをハンガー支持帯部より二つ折りして、胸部と背部とから成るボディ本体を形成し、該ボディ本体に吊下げ部材を取り付ける衣服陳列兼物干し用具に形成したことである。
【０００９】
また、後身頃部の一側辺よりハンガー吊下用孔部に達するスリットを入れて、該スリットを境目とする左右重合片を形成し、該左右重合片を適宜の幅重ね合わせるとともに、該重合部を面ファスナーあるはスナップボタンなどの結着部材で着脱自在に接合して胸部と背部とから成るボディ本体に形成した衣服陳列物干し用具としたことである。  
【００１０】
前記ハンガー支持帯部に支持される吊下げ部材が、肩掛け部を棒状に形成した衣服用ハンガーである衣服陳列兼物干し用具としたことである。
【００１１】
前記ハンガー支持帯部に支持される吊下げ部材が、円錐台状の円筒体に棒状ハンガーを挿通したハンガーとした衣服陳列兼物干し用具としたことである。
【００１２】
また、ハンガー支持帯部に支持される吊下げ部材が、下部に横桟を有する棒状のハンガーとした衣服陳列兼物干し用具としたことである。
【００１３】
胸像シートが通気孔を有する合成樹脂製のシートである衣服陳列兼物干し用具としたことである。
【考案の効果】
【００１４】
上記の様に構成したボディ本体の透孔（首部）に、肩掛け部が棒状に形成された既製品の洋服用ハンガーのフック杆を、ボディ本体のハンガー吊下用孔部に、挿通し吊り下げるか、該透部にフック杆を挿通した円錐台状の円筒体を嵌合するだけで衣服陳列兼物干し用具に形成できる。
【００１５】
この衣服陳列兼物干し用具に衣服を被せると、ボディ本体の胸部の形状により衣服に膨らみが生じ、従来のボディトルソーと同様に陳列衣服を立体的に見せることができるので、単に洋服用ハンガーに掛けた従来の陳列方法と比べ宣伝効果を上げることができる。
【００１６】
また、方形状シートの後身頃部（胸部）に形成した左右の重合片の重ね合わせ方により、ボディ本体の胸部の傾斜面を変化させることができる。
【００１７】
図示はしていないが、ボディ本体のハンガー吊下用孔部に円錐台状の円筒体から成る吊下げ部材の背面の周壁面を平坦面に形成し、店先の壁面などに吊り下げたときに、背部の膨らみが小さいので壁面との接触が良く、展示品が安定する。
【００１８】
また、市販されている肩掛け部が棒状に形成されているハンガーに衣服を吊るした場合、通常型崩れを起こすおそれがあるが、衣服を胸部及び背部から成るボディ本体で保持しているので、衣服を傷めることがない。
【００１９】
さらに、ボディ本体を通気性シートあるいは、通気孔を設けたシートあるいはネット状の方形状シート本体で構成した場合に、湿気を含んだ衣服を掛けても、通気性が良く湿気をとることができるので、洗濯物干し用具として好適である。
【００２０】
胸像シートを二つ折りして形成された山折り形状のハンガー支持帯部で棒状ハンガーを支持するので、ハンガーは確実に支持され安定する。
【００２１】
また、この考案の衣服陳列物干し具は、ボディ本体に衣服を掛ける場合、衣服の裾部から入れるので、襟元を広げることなく掛けることができるので衣服の型崩れは生じないない。
さらに、洗濯物干しとして使用する場合は、ボディに洗濯物を掛けた後、ボディ本体に密着した衣服をたたいて、しわを伸ばし形を整えることでアイロン掛けの手間が省ける。
【００２２】
ボディ本体の丈をやや長く形成し、そのボディ本体に取付けるハンガーとして、ハンガーの下にズボンあるいはネクタイをかけるための横桟を有するハンガー等を用いた場合、横桟は二つ折下した前身頃と後身頃の内面に位置し、外部から見えないので、その部分に女性の下着など吊るすことができ、盗難・犯罪予防となる。    
【考案を実施するための最良の形態】
【００２３】
この考案を実施する最良の形態を図面に基づいて説明する。
【実施例】
【００２４】
図１は、この考案の衣服陳列兼物干し用具一実施例で胸像シートの展開図、図２は同上の胸像シートを組立て形成した胸部の正面図、図３は同上の胸像シートを組立て形成した背部の正面図、図４〜図７は吊下げ部材を取付けた状態を示す図、図８は吊下げ部材として用いる円錐台状円筒体の展開図、図９は組立てた状態を示す図、図１０〜図１１は使用状態を示す図である。
【００２５】
図１において、１はこの考案の衣服陳列兼物干し用具のボディ本体を形成する胸像シート、この胸像シート１は紙または合成樹脂製の方形状シートで、前身頃部（胸部）２と後身頃（背部）３の両身頃部をハンガー支持帯部４で一体に結合して成る。
５は吊下げ部材６の衣服用ハンガーを嵌合するハンガー吊下げ用孔部であり、後身頃３に該後身頃３の下端縁７から前記ハンガー吊下げ用孔部５にいたるスリット８入れて、後身頃３を左右重合片３ａ・３ｂに形成し、該左右重合片に結着部材３ｃ・３ｄを設ける。
なお、９はハンガー支持帯部４に設けた折り線である。
【００２６】
このように構成した胸像シート１をハンガー支持帯部４の折り線９より折畳み、後身頃の左右重合片３ａ、３ｂを重ね合わせ決着部材３ｃ（３ｄ）で結着し、図２に示す前身頃(胸部)２と図３に示す後身頃(背部)３からなるボディ本体１０が形成される。
このボディ本体１０のハンガー吊下げ用孔部６に例えば、肩掛け部が棒状に形成されている棒状ハンガー６又は図６に示す肩掛け部の下方にズボンあるいはネクタイなどを掛ける横桟１６を設けたハンガーを、ハンガー吊下用孔部５に挿通することにより衣服陳列兼物干し用具が形成される。
【００２７】
ハンガー吊下用孔部５に挿通するハンガーに代えて、図８及び図９に示す円錐台形状の円筒体から成る首部２６を形成し、該首部２６をハンガー吊下用孔部５に嵌合し、図５に示す衣服兼物干し用具に形成する。
首部状のハンガーは、図８に示すとおり、扇形状シート２１の両端に形成した円錐台形に形成するための結合部２２・２３を形成し、該結合部に長孔２５aと止め金２５ｂを設けるとともにハンガー固定溝２４を設け、上記扇形シート２１を図９に示す円錐台形状の首部２６に形成し、該首部２６に棒状ハンガーを挿通し、図５に示すようにハンガー固定溝２４でハンガーの肩掛け部を支持してボディ本体１０に取り付け使用する。
【００２８】
この様に構成した胸像シート本体を組み立て形成した衣服陳列兼物干し用具を図１０及び図１１に示すように展示しようとする衣服３０を被せると、胸部に膨らみのあるボディ本体１０が形成されているので、従来の洋服用ハンガーを用いても陳列衣服３０に膨らみが生じ、従来のボディトルソーを用いたのと同様のシルエットを美しく見せる効果が得られる。
【００２９】
また、洗濯物を被せて干し物用具として用いた場合に、従来の洗濯物の干し方は、布地同士がくっつき易く、そのために乾きにくいのを、この考案の衣服陳列兼物干し用ハンガーを用いた場合、ボディ本体の胸部の膨らみにより通気性が良く乾きが早い上に、ボディ本体を通気孔１７を有するシート、あるいはネット状シートで形成すれば、より乾きが早い。
また、ワイシャツなどを干した場合に型崩れがないので、アイロン掛けなどが楽である。
さらに、横桟を有するハンガーの横桟に洗濯物等を吊るす場合に、横桟は二つ折下した前身頃と後身頃の内面に位置し、外部から見えないので、その部分に女性の下着などを安心して吊るすことができ、また、盗難・犯罪予防となる。
【図面の簡単な説明】
【００３０】
【図１】この考案の衣服陳列兼物干し用具の一実施例の胸像シートの展開図である。
【図２】同上の胸像シートを組立て形成したボディ本体の胸部の正面図である。
【図３】同上の胸像シートを組立て形成したボディ本体の背部の正面図である。
【図４】ボディ本体にハンガーを挿通した状態を示す図
【図５】ボディ本体に首部状ハンガーを取り付けた状態を示す図である。
【図６】ボディ本体に他のハンガーを取り付けた状態を示す図である。
【図７】通気孔を有するシートで形成したボディ本体をハンガーに取り付けた状態を示す図である。
【図８】首部状ハンガーの展開図である。
【図９】同上の組み立てた状態を示す図である。
【図１０】使用状態を示す図である。
【図１１】使用状態を示す図である。
【符号の説明】
【００３１】
１      胸像シート
２      前身頃 （胸部）  
３      後身頃 （背部）
３ａ    重合片
３ｂ    重合片
３ｃ    結着部材
３ｄ    結着部材
４      ハンガー支持帯部
５      ハンガー吊下用孔部  
６      吊下げ部材（ハンガー）
７      下端縁
８      スリット
９      折り線
１０    ボディ本体  
１６    横桟
１７    通気孔
２１    扇形状シート  
２２    結合部
２３    結合部
２４    ハンガー固定溝
２５ａ  結合片（長孔）
２５ｂ  結合片（止め金）  
２６    首部
３０    衣服
【図１】
0003135254.tif 000003
【図２】
0003135254.tif 000004
【図３】
0003135254.tif 000005
【図４】
0003135254.tif 000006
【図５】
0003135254.tif 000007
【図６】
0003135254.tif 000008
【図７】
0003135254.tif 000009
【図８】
0003135254.tif 000010
【図９】
0003135254.tif 000011
【図１０】
0003135254.tif 000012
【図１１】
0003135254.tif 000013